(57)【要約】【課題】明るい色調の外観で、しかも使用中の色抜けが少ない石鹸組成物の提供。【解決手段】次の成分（Ａ）〜（Ｃ）：（Ａ）脂肪酸石鹸                              ２０〜５０質量％、（Ｂ）着色料                      ０．００００１〜０．１質量％、（Ｃ）無機塩                                  ０．５〜５質量％を含有し、容積分率として１０〜８０％の気泡を含有する石鹸組成物。【選択図】  なし【特許請求の範囲】
【請求項１】
次の成分（Ａ）〜（Ｃ）：
（Ａ）脂肪酸石鹸                              ２０〜５０質量％、
（Ｂ）着色料                      ０．００００１〜０．１質量％、
（Ｃ）無機塩                                  ０．５〜５質量％
を含有し、容積分率として１０〜８０％の気泡を含有する石鹸組成物。
【請求項２】
枠練り石鹸組成物である請求項１記載の石鹸組成物。
【発明の詳細な説明】
【０００１】
【発明の属する技術分野】
本発明は、明るい色調の外観で、しかも使用中の色抜けが少ない気泡入り石鹸組成物に関する。
【０００２】
【従来の技術】
従来、脂肪酸石鹸を主体とする固形石鹸において、着色を施して審美性を与えるために、種々の着色料が用いられている。
しかしながら、石鹸組成物に単に着色料を添加しただけでは、くすんだ色になってしまい、明るい色調や淡色のものは得られなかった。また、使用中に着色料が流れ出て色抜けしたり、水で濡れた石鹸がふやけるために色が白っぽくなり、美観が損なわれてしまうという問題もあった。
【０００３】
例えば、特許文献１には顔料により着色されたマーブル模様石鹸が、特許文献２にはルチル型二酸化チタンを配合した白色度の高い固形石鹸組成物が、また、特許文献３には光拡散性微粒子を含有する宝石様外観の機械練り石鹸が開示されている。
一方、気泡を含有する石鹸組成物も知られており（例えば、特許文献４、特許文献５等）、酸化チタン等の白色化剤を使用しなくても、外観を良好な白色にすることができるとされている。しかしながら、このような組成物において、パステル調の明るい着色や、使用中の色抜けについての検討はなされていなかった。
【０００４】
【特許文献１】
特開２００１−３１１０９８号公報
【特許文献２】
特開平８−２０７９８号公報
【特許文献３】
特開２００１−２６７９７号公報
【特許文献４】
特開平４−２１８５９９号公報
【特許文献５】
特開平１０−１６８４９４号公報
【０００５】
【発明が解決しようとする課題】
本発明の目的は、明るい色調の外観を呈し、しかも使用中の色抜けが少ない石鹸組成物を提供することにある。
【０００６】
【課題を解決するための手段】
本発明者らは、石鹸組成物に、着色料とともに、特定量の無機塩を配合し、かつ、特定量の気泡を含有させることにより、淡色系やパステル調の明るい色調の外観が得られ、しかも使用中の色抜けが少なくなることを見出した。
【０００７】
本発明は、次の成分（Ａ）〜（Ｃ）：
（Ａ）脂肪酸石鹸                              ２０〜５０質量％、
（Ｂ）着色料                      ０．００００１〜０．１質量％、
（Ｃ）無機塩                                  ０．５〜５質量％
を含有し、容積分率として１０〜８０％の気泡を含有する石鹸組成物を提供するものである。
【０００８】
【発明の実施の形態】
本発明で用いる成分（Ａ）の脂肪酸石鹸としては、炭素数８〜２２の飽和又は不飽和脂肪酸のアルカリ金属塩（例えばナトリウム塩、カリウム塩等）、アンモニウム塩、アルカノールアミン塩（例えばモノエタノールアミン塩、ジエタノールアミン塩、トリエタノールアミン塩等）などが挙げられる。
【０００９】
成分（Ａ）の脂肪酸石鹸を構成する脂肪酸としては、植物油脂もしくは動物油脂（例えば、パーム油、パーム核油、ヤシ油、ヒマシ油、大豆油、綿実油、ナタネ油、ヒマワリ油、牛脂、豚脂等）から得られるものを用いることもできる。
【００１０】
すなわち、成分（Ａ）の脂肪酸石鹸は、上記の油脂を直接鹸化することにより、あるいは別途調製された遊離脂肪酸の中和によって製造することができる。
【００１１】
成分（Ａ）の脂肪酸石鹸は、不溶分が２０質量％以下、特に１５質量％以下であるのが、泡立ち性能の点で好ましい。
なお、脂肪酸石鹸中の不溶分とは、クラフト点が６０℃以上であって、実使用条件下で水に不溶の成分を意味する。具体的には炭素数１６以上の飽和脂肪酸塩である。
【００１２】
また、成分（Ａ）の脂肪酸石鹸において、飽和脂肪酸石鹸の割合が少ないと固化しにくくなるので、成分（Ａ）の脂肪酸石鹸のうち、少なくとも８０質量％は飽和脂肪酸のアルカリ金属塩、特にナトリウム塩であるのが好ましい。さらに、成分（Ａ）の脂肪酸石鹸全体の中で、少なくとも２５質量％がラウリン酸石鹸であるのが、泡立ち性により優れるので好ましい。
【００１３】
成分（Ａ）は、１種以上を用いることができ、全組成中に２０〜５０質量％、好ましくは２５〜４５質量％含有される。この範囲内であれば、十分な泡立ち性、固化性および洗浄性が得られ、好ましい。
【００１４】
本発明で用いる成分（Ｂ）の着色料としては、染料又は顔料等として公知のものの中から適宜選択して使用できる。
染料としては、例えば赤色２号、赤色３号、赤色１０２号、赤色１０４号の（１）、赤色１０５号の（１）、赤色１０６号、黄色４号、黄色５号、緑色３号、青色１号、青色２号、赤色２０１号、赤色２１３号、赤色２１４号、赤色２１５号、赤色２２５号、赤色２２７号、赤色２３０号の（１）、赤色２３０号の（２）、赤色２３１号、赤色２３２号、だいだい色２０５号、だいだい色２０７号、黄色２０２号の（１）、黄色２０２号の（２）、黄色２０３号、黄色２０４号、緑色２０１号、緑色２０２号、緑色２０４号、緑色２０５号、青色２０２号、青色２０３号、青色２０５号、かっ色２０１号、紫色２０１号、赤色４０１号、赤色５０１号、赤色５０２号、赤色５０３号、赤色５０４号、赤色５０５号、赤色５０６号、だいだい色４０２号、だいだい色４０３号、黄色４０２号、黄色４０３号の（１）、黄色４０４号、黄色４０５号、黄色４０６号、黄色４０７号、緑色４０１号、緑色４０２号、青色４０３号、紫色４０１号、黒色４０１号等が挙げられる。
【００１５】
顔料としては、例えば赤色２０２号、赤色２０３号、赤色２０４号、赤色２０５号、赤色２０６号、赤色２０７号、赤色２０８号、赤色２１８号、赤色２１９号、赤色２２０号、赤色２２１号、赤色２２３号、赤色２２６号、赤色２２８号、だいだい色２０１号、だいだい色２０３号、だいだい色２０４号、だいだい色２０６号、黄色２０１号、黄色２０５号、青色２０１号、青色２０４号、赤色４０４号、赤色４０５号、だいだい色４０１号、黄色４０１号、青色４０４号等が挙げられる。
【００１６】
成分（Ｂ）は、１種以上を用いることができ、全組成中に０．００００１〜０．１質量％、好ましくは０．０００１〜０．０１質量％含有される。この範囲内であれば、良好な発色性が得られ、コストの点でも好ましい。
【００１７】
成分（Ｃ）の無機塩としては、塩化ナトリウム、塩化カリウム、硫酸ナトリウム等が挙げられ、性能やコストの点から、塩化ナトリウム、硫酸ナトリウムが好ましい。無機塩を含有することにより、得られる石鹸の表面がふやけにくくなり、色抜けもしにくくなる。
【００１８】
無機塩は、１種以上を用いることができ、全組成中に０．５〜５質量％、好ましくは１〜４質量％含有される。０．５質量％未満では、使用中に色抜けが起こり易く、５質量％を超えると、起泡性が低下する傾向がある。
【００１９】
本発明の石鹸組成物は、容積分率として１０〜８０％、好ましくは３０〜８０％の気泡を含有する。気泡の容積分率が１０％未満では、使用中の色抜けを防止することができず、８０％を超えると、十分な強度が得られない。
【００２０】
本発明において、気泡の容積分率は、気泡の入っていないサンプル、即ちニートソープの比重（ｄ０）と、気泡の入ったサンプルの比重（ｄ１）を測定し、下記式により求める。
なお、比重の測定には、アルファーミラージュ社製、電子比重計ＥＷ−２００ＳＧを用いた。
気泡の容積分率（％）＝｛１−（ｄ１／ｄ０）｝×１００
【００２１】
本発明の石鹸組成物において、気泡を含有させるには、ニートソープに、高せん断力を与える装置（例えばホイップ装置）でエアレーション処理を施すことにより行うことができる。エアレーション処理の際に使用する気体としては、空気、窒素ガス等を適宜選択して用いることができる。
【００２２】
また、気泡の大きさは、得られる石鹸組成物を溶け過ぎないようにし、且つよりふやけにくくするために、平均気泡径が８０μｍ以下、特に６０μｍ以下であるのが好ましい。平均気泡径の下限については特に限定されないが、通常の工業用のホイップ機を使用する場合、生産性を考慮すると、１０μｍ以上、特に２０μｍ以上であるのが好ましい。ここで、平均気泡径は、発泡ニートを二枚のスライドグラス（間隔１５０〜１８０μｍ）の間に挟んで急冷固化させ、得られた試料にバックライトで透過光を与えながらマイクロスコープで観察して画像データを採取した後、画像処理ソフト  Ｉｍａｇｅ−Ｐｒｏ  Ｐｌｕｓ  上で気泡径の測定を行い、平均値を算出することにより求めることができる。
【００２３】
本発明の石鹸組成物には、ニートソープをホイップしてエアレーション処理する場合、型枠に流し込んだホイップ組成物が破泡して液相が分離しないようにするため、更に、ヒドロキシ酸エステル系界面活性剤、脂肪酸モノグリセライド系界面活性剤、ショ糖脂肪酸エステル系界面活性剤、Ｏ−アシル乳酸塩系界面活性剤を添加することができる。中でも、ラウロイル乳酸ナトリウム、イソステアロイル乳酸ナトリウム等のＯ−アシル乳酸塩系界面活性剤を添加するのが好ましい。これらのエステル系界面活性剤は、全組成中に１〜１０質量％、特に２〜５質量％含有するのが好ましい。
【００２４】
また、低温での泡立ち性やスカムの分散性を向上させるために、非石鹸系のアニオン界面活性剤を添加することもできる。このようなアニオン界面活性剤としては、アルカノイルイセチオン酸塩、ポリオキシエチレンアルキルエーテル硫酸塩、アシルメチルタウリン塩、アシルザルコシネート、スルホサクシネート、モノアルキルリン酸塩、アルカノイル−β−アラニン塩等が挙げられる。非石鹸系のアニオン界面活性剤は、全組成中に１〜２０質量％、特に５〜１５質量％含有するのが好ましい。
【００２５】
本発明の石鹸組成物には、香りの安定化のために脂肪酸以外の有機酸類を含有させることができる。このような有機酸としては、乳酸、グルコン酸等が挙げられる。有機酸は、全組成中に０．０１〜３質量％、特に０．１〜１質量％含有するのが好ましい。
【００２６】
前記成分のほか、本発明の石鹸組成物には、用いる成分を均一な溶融物とするために、通常、１５〜５０質量％の水を含有する。この水は、製造直後にはその中にほぼ配合した割合で含有されているが、乾燥に伴って徐々に減少する。
【００２７】
また、本発明の石鹸組成物には、通常の洗浄剤組成物に用いられる公知の添加剤、例えば抗菌剤、香料等を含有できる。ここで、抗菌剤としては、トリクロサン、トリクロロカルバニリド等が挙げられ、通常０．１〜２質量％含有される。
また、香料等は、通常０．２〜５質量％含有される。油剤としては、ラノリン、パラフィン、ワセリン、ミリスチン酸イソプロピル等が挙げられ、通常０．５〜５質量％含有される。
【００２８】
本発明の石鹸組成物は、通常の方法により製造することができる。枠練り石鹸組成物とする場合には、例えば、成分（Ａ）〜（Ｃ）及び必要に応じて他の成分を、６５〜８０℃に加熱攪拌して溶融又は溶解させてニートソープとし、これに気泡を含有させた後、そのまま型枠に流し込み、冷却して固化、乾燥することにより製造することができる。
【００２９】
【実施例】
実施例１〜８、比較例１〜３
表１に示す組成の枠練り石鹸組成物を製造し、明度、彩度及び使用中の色抜けを評価した。結果を表１に併せて示す。
【００３０】
（製法）
表１の処方の成分を７５℃に加熱して溶融させ、バッチ操作により家庭用ホイップ機でエアレーション処理を施すことによりホイップし、それを石鹸の型枠に流し込み、放冷して固化させることにより、気泡入り枠練り石鹸組成物を調製した。気泡の容積分率はエアレーション処理を施す時間で調整した。
【００３１】
（評価方法）
（１）明度及び彩度：
ミノルタ社製、色彩色差計ＣＲ−３００を用い、各石鹸組成物を表色モードΔ（Ｌ＊Ｃ＊ｈ）で測定した。Ｌ＊は明度、Ｃ＊は彩度である。
【００３２】
（２）使用中の色抜け：
通常の洗面台で１ヶ月間使用したときの色抜けを観察し、以下の基準で評価した。
○：色抜けなし。
△：若干色抜けあり。
×：色抜けあり。
【００３３】
【表１】
2005002254.tif 000002
【００３４】
【発明の効果】
本発明の石鹸組成物は、明るい色調の外観で、しかも使用中の色抜けが少ないものである。